(57)【特許請求の範囲】
【請求項１】
マウス本体と、マウス本体とは別であって手指で把持される把持部とを備えたマウスであり、
把持部の前部に、マウス本体を把持部に対して収納および取出すための開口が形成されて、マウス本体が把持部に対して収納移動可能に構成され、
マウス本体が把持部内に収納された収納状態から、マウス本体を開口から取出して前後方向一端側と前後方向他端側とを反転させ前後方向一端側を前側として開口に連結することで、マウス本体を前側とし把持部を後側として前後方向で連結された使用状態へ変更可能に構成されていることを特徴とするマウス。
【請求項２】
マウス本体と、マウス本体とは別であって手指で把持される把持部とを備えたマウスであり、
把持部の前部に、マウス本体を把持部に対して収納および取出すための開口が形成されて、マウス本体が把持部に対して収納移動可能に構成され、
マウス本体は上壁部、下壁部、上壁部および下壁部を連続する側壁部を備え、側壁部の前後方向一端側に、クリック動作を許容する前後方向に沿う分離溝が形成され、
マウス本体の前後方向一端側を前側として前記開口に連結することで、マウス本体を前側とし把持部を後側として前後方向で連結された使用状態から、収納状態とするべくマウス本体の前後方向一端側と前後方向他端側とを反転させ、マウス本体の前後方向一端側を後側として開口から把持部へ挿入する際に、分離溝に嵌合してマウス本体の収納を案内する凸条片が把持部の内面に形成されていることを特徴とするマウス。
【請求項３】
マウス本体の上壁にスクロール用ホイールの一部が突出するよう設けられ、把持部には、収納状態において、スクロール用ホイールを回避する空間が設けられている請求項１または請求項２に記載のマウス。
【請求項４】
使用状態において、マウス本体と把持部のうち、少なくともマウス本体の上壁が前側へ向けて下傾斜するよう構成されている請求項１ないし請求項３の何れかに記載のマウス。
【請求項５】
使用状態において、把持部の前側へ移動させた状態のマウス本体が、把持部内へ入るのを阻止する阻止部が設けられている請求項１ないし請求項４の何れか１項に記載のマウス。
【発明の詳細な説明】
【技術分野】
【０００１】
本発明は、パーソナルコンピュータの画面を操作するためのマウスに関する。
【背景技術】
【０００２】
この種のマウスとして、例えば、下記特許文献１に記載された技術が提案されている。特許文献１のマウスは、パーソナルコンピュータに接続されるケーブルを備えている。特許文献１のマウスは、マウス本体と、マウス本体に対して後方へ引き出される引出部を備えている。引出部はそのマウス幅方向両側端部に、マウスの長手方向に沿う脚部を備えている。そして、引出部を後方へ引き出すことで脚部を露出させ、ケーブルを両脚部に掛るように巻回することで、ケーブルが邪魔にならないようにマウスの持ち運びができる。マウスの使用時にはケーブルを脚部から解き、ケーブルをパーソナルコンピュータの所定部分に差し込み、引出部をマウス本体に押し込むように収納して、ユーザーはマウスを把持して使用する。
【先行技術文献】
【特許文献】
【０００３】
【特許文献１】特開２００２−２５１２５７公報
【発明の概要】
【発明が解決しようとする課題】
【０００４】
ところで昨今、マウスのコンパクト化が要望されている。しかもマウスは、使用に際しユーザーにとって把持し易い長さを備える必要がある。しかしながら、上記特許文献１に記載のマウスはコンパクト化を図る技術ではなく、しかも引出部は、マウスの使用時にはマウス本体に収納されて、マウスの把持には用いられない。
【０００５】
そこで本発明は、コンパクト化を実現するとともに、使用時にはユーザーにとって必要な長さとすることができるマウスの提供を目的とする。
【課題を解決するための手段】
【０００６】
本発明のマウスは、マウス本体と、マウス本体とは別であって手指で把持される把持部とを備え、把持部の前部に、マウス本体を把持部に対して収納および取出すための開口が形成されて、マウス本体が把持部に対して収納移動可能に構成され、マウス本体が把持部内に収納された収納状態から、マウス本体を開口から取出して前後方向一端側と前後方向他端側とを反転させ前後方向一端側を前側として開口に連結することで、マウス本体を前側とし把持部を後側として前後方向で連結された使用状態へ変更可能に構成されていることを特徴としている。
【０００７】
上記構成によれば、マウス本体を把持部に収納することでマウスは、その分だけコンパクトになり、収納状態からマウス本体の少なくとも一部を把持部の外側へ移動させてマウス本体と把持部とが前後長手方向で連結された使用状態とすることで、マウスがその使用に適した前後長手方向となる。また、上記構成によれば、マウス本体を開口から取出して、その前後方向一端側と前後方向他端側とを反転させ前後方向一端側を前側として開口に連結することで、マウスがその使用に適した前後長手方向となる。
【０００８】
本発明のマウスでは、マウス本体の上壁にスクロール用ホイールの一部が突出するよう設けられ、把持部には、収納状態において、スクロール用ホイールを回避する空間が設けられた構成を採用できる。
【０００９】
上記構成によれば、マウス本体の上面から突出しているスクロール用ホイールの一部が把持部に設けられた空間によって回避されることで、スクロール用ホイールの一部が邪魔にならずに収納状態とされる。
【００１０】
本発明のマウスでは、使用状態において、マウス本体と把持部のうち、少なくともマウス本体の上壁が前側へ向けて下傾斜する構成を採用できる。
【００１１】
上記構成によれば、少なくともマウス本体の上壁が前方へ下傾斜することで、マウス本体の操作がし易い。
【００１２】
本発明のマウスでは、使用状態において、把持部の前側へ移動させた状態のマウス本体が、把持部内へ入るのを阻止する阻止部が設けられた構成を採用できる。
【００１３】
上記構成によれば、使用状態において、阻止部により、マウス本体が把持部へ入り過ぎてしまうことがない。
【００１６】
本発明のマウスでは、マウス本体と、マウス本体とは別であって手指で把持される把持部とを備え、把持部の前部に、マウス本体を把持部に対して収納および取出すための開口が形成されて、マウス本体が把持部に対して収納移動可能に構成され、マウス本体は上壁部、下壁部、上壁部および下壁部を連続する側壁部を備え、側壁部の前後方向一端側に、クリック動作を許容する前後方向に沿う分離溝が形成され、マウス本体の前後方向一端側を前側として前記開口に連結することで、マウス本体を前側とし把持部を後側として前後方向で連結された使用状態から、収納状態とするべくマウス本体の前後方向一端側と前後方向他端側とを反転させ、マウス本体の前後方向一端側を後側として開口から把持部へ挿入する際に、分離溝に嵌合してマウス本体の収納を案内する凸条片が把持部の内面に形成されていることを特徴とする。
【００１７】
上記構成によれば、マウス本体を把持部に収納することでマウスは、その分だけコンパクトになり、収納状態からマウス本体の少なくとも一部を把持部の外側へ移動させてマウス本体と把持部とが前後長手方向で連結された使用状態とすることで、マウスがその使用に適した前後長手方向となる。また、上記構成によれば、マウス本体を開口から取出して、その前後方向一端側と前後方向他端側とを反転させ前後方向一端側を前側として開口に連結することで、マウスがその使用に適した前後長手方向となる。また、上記構成によれば、収納状態とする際に分離溝が凸条片に案内されることから、円滑に収納状態とすることができる。
【発明の効果】
【００１８】
本発明のマウスによれば、マウスをコンパクトにでき、使用時にはユーザーにとって必要な長さとすることができる。
【図面の簡単な説明】
【００１９】
【図１】本発明の第一の実施形態に係るマウスの、収納状態の平面図である。
【図２】同図１におけるＸ−Ｘ線断面矢視図である。
【図３】同把持部からマウス本体を取外してマウス本体の前後を反転させた状態の平面図である。
【図４】同把持部からマウス本体を取外してマウス本体の前後を反転させた状態の底面図である。
【図５】同使用状態の平面図である。
【図６】同図５におけるＹ−Ｙ線断面矢視図である。
【図７】同使用状態の斜視図である。
【図８】本発明の第二の実施形態に係るマウスの、収納状態を表す斜視図である。
【図９】同使用状態を表す斜視図である。
【図１０】本発明の第三の実施形態に係るマウスの、収納状態を表す斜視図である。
【図１１】同使用状態を表す斜視図である。
【図１２】本発明の第四の実施形態に係るマウスの、収納状態を表す斜視図である。
【図１３】同使用状態を表す斜視図である。
【図１４】本発明の第五の実施形態に係るマウスの、収納状態を表す斜視図である。
【図１５】同使用状態を表す斜視図である。
【発明を実施するための形態】
【００２０】
以下、図面を参照しつつ、本発明の一実施形態に係るマウスを説明する。はじめに、図１ないし図７を参照しつつ、本発明の第一の実施形態に係るマウス１を説明する。第一の実施形態に係るマウス１は、図１および図２に示すように、マウス本体２と、マウス本体２とは別であってユーザーの手指で把持される把持部３とを備えている。マウス本体２は、把持部３に対して収納および取外し可能に構成されている。
【００２１】
本実施形態のマウス１は、持ち運び時には、図１および図２に示すように、マウス本体２を把持部３に収納した収納状態Ａとすることで、前後方向（前後長手方向）ＦＲの長さが把持部３の長さとされる。そして図３に示すように、マウス本体２を把持部３から取出し、図５および図７に示すように、マウス本体２の一端側と他端側とを前後方向ＦＲで反転させ、その後にマウス本体２を把持部３に装着させて、把持部３の前後方向ＦＲに比べて長い使用状態Ｂに変更できる。
【００２２】
マウス本体２は、図示しないパーソナルコンピュータ（以下、「パソコン」と称する）の画面を実質的に操作する部分である。マウス本体２は、図１ないし図３に示すように、外筐部４と、外筐部４の本体上壁５から一部を突出させるよう設けたスクロール用ホイール（以下、単に「ホイール」と称する）６と、収納状態Ａには前側にあって、使用状態Ｂには後側に位置する嵌合部７とを備える。
【００２３】
外筐部４は、正面視（背面視も同様）して左右方向である幅方向Ｃを長径とする断面略楕円（前後方向に直交する方向の断面）に形成されている。外筐部４は、本体上壁５、本体下壁８を備えている。本体上壁５および本体下壁８は、平板状に形成されている。また、本体上壁５および本体下壁８は、使用状態Ｂにおいて、後側ほど上下方向の距離が互いに離れるよう傾斜して形成されている。
【００２４】
外筐部４は、本体上壁５および本体下壁８を幅方向両側で連続する本体側壁部９，１０をさらに備えている。本体側壁部９，１０は、幅方向Ｃ外方へ突出するよう湾曲した湾曲面に形成されている。本体上壁５は左右クリック用に押圧される部分であり、右クリック用上壁部５ａと左クリック用上壁部５ｂとに、幅方向中心で分離されている。すなわち、本体上壁５の幅方向中心部には、左右のクリック操作を許容させる前後方向に沿う上壁分離溝５ｃが形成されている。また、図７に示すように、本体側壁部９，１０には、クリック操作を許容するよう、前後方向に沿う側壁分離溝（クリック用溝に相当する）９ａ，１０ａが、それぞれ形成されている。
【００２５】
図２、図５、図７に示すように、ホイール６は、本体上壁５の前後方向途中部分（使用状態Ｂにおいては前側寄り）に、一部が突出するよう設けられている。以下、ホイール６の突出部分を突出部６ａと称する。ホイール６は一般的な構成であるから、その説明を省略する。なお、図４に示すように、本体下壁８にはマウス本体２の駆動、停止を操作するスイッチ１１、および光学系発光部１２が設けられている。また、本体下壁８のうち、前側寄りに、摺動シート１３が設けられている。
【００２６】
マウス本体２の嵌合部７の幅、および高さ（厚み）は、マウス本体２における嵌合部７より前側の幅、および高さに比べて大きく設定されている。嵌合部７は、例えば合成ゴムから形成されており、前後方向に離間した断面略楕円形の凸条部７ａ、および凸条部７ａの間にある溝条部７ｂを備えている。なお、マウス本体２の前後端は閉じられている。
【００２７】
把持部３は、図１ないし図７に示すように、後方が底壁１５によって閉じられ、前方に開口１６が形成されて、内部を収納空間１７とされた断面略楕円形のケース状に形成されている。すなわち、把持部３は、把持部上壁１８、把持部下壁１９、把持部側壁２０，２１、および底壁１５を備えている。把持部上壁１８、および把持部下壁１９は平面状に形成され、把持部上壁１８および把持部下壁１９を幅方向両側で連続する把持部側壁２０，２１は、幅方向外方へ突出するよう湾曲した湾曲面に形成されている。底壁１５は平板状に形成されている。この把持部３は、マウス本体２を収納できる大きさに設定されている。開口１６の大きさは、嵌合部７の大きさに比べてわずかに小さく設定されている。
【００２８】
把持部上壁１８の内壁面と把持部下壁１９の内壁面との間の距離である高さＨ、すなわち収納空間１７の高さＨは、前後方向で略均一か、後側ほどわずかに低くなるよう設定されている。特にこの高さＨは、収納状態Ａにおいて、ホイール６を含めてマウス本体２を収納できるよう設定されている。換言すれば、収納空間１７のうち、把持部上壁１８とマウス本体２の本体上壁５との間の部分が、ホイール６を回避するよう収められるよう空間として用いられる。
【００２９】
図２および図６に示すように、把持部側壁２０，２１の内面には、マウス本体２の収納状態において、側壁分離溝９ａ，１０ａに嵌合（内嵌）され側壁分離溝９ａ，１０ａと略等しい長さの凸条片２２が形成されている。把持部３には、使用状態Ｂにおいて、マウス１の前側が下傾斜するよう構成する傾斜手段が設けられている。本実施形態における傾斜手段には、把持部下壁１９に設けられたクリップ２３が用いられている。このクリップ２３は、例えばマウス１のユーザーの胸ポケットに掛けるようにして用いることができる。
【００３０】
クリップ２３は、一般的な構成を備えており、その概略構成を説明する。クリップ２３は、把持部下壁１９の幅方向中心部に突出するよう形成された支持片２４ａ，２４ｂを備え、支持片２４ａ，２４ｂに幅方向Ｃに沿う支軸２５が取付けられ、支軸２５にコイルばね２６を介して挟み板２７が取付けられて構成される。挟み板２７の下面には、摺動シート２８，２９が設けられている。摺動シート２８，２９は前後方向に離間して一対で設けられている。
【００３１】
把持部上壁１８および把持部下壁１９の前端部において、その幅方向中央部には、後方へ向けて凹となる平面視略矩形の操作用凹部３０，３１が形成されている。操作用凹部３０，３１は、収納状態Ａにおいて、嵌合部７の一部を露出させる部分であり、図２に示すように、特に、把持部下壁１９の操作用凹部３１の後方縁に、クリップ２３の挟み板２７の先端に形成した係止条部３２がかからないよう構成されている。
【００３２】
上記構成のマウス１において、図１および図２に示すように、マウス本体２が把持部３に収納されている状態が収納状態Ａである。収納状態Ａにおいて、マウス本体２のホイール６側が把持部３の底壁１５側にあって、把持部３の開口１６とマウス本体２の嵌合部側端面とが面一となっている。また、ホイール６の突出部６ａは、収納空間１７に収められている。
【００３３】
収納状態Ａにおいては、嵌合部７はその外周部がわずかに縮小されるように変形しており、その弾性復元力が、把持部３の内面に働いていて、マウス本体２が把持部３から容易に落下しないようになっている。
【００３４】
マウス１のユーザーは、収納状態Ａにおいてマウス１を所持するよう用いることができる。この場合、例えば、クリップ２３の挟み板２７をコイルばね２６の弾性に抗して回動させ、これによって、クリップ２３の挟み板２７の先端の係止条部３２を底壁１５から離し、挟み板２７の係止条部３２と把持部下壁１９との間に、ユーザーが着用している不図示の衣服のポケット生地を挿入し、コイルばね２６の弾性により、マウス１をポケットに装着することができ、利便性がよい。
【００３５】
しかも収納状態Ａでは、マウス本体２は把持部３に収納されているから、マウス１全体の前後方向長さはコンパクトであり、ユーザーは、このようなコンパクトな状態において、マウス１を所持することができる。
【００３６】
例えば、マウス１を机上で使用する場合に、ユーザーはマウス本体２を使用状態Ｂとする。すなわち、ユーザーは、操作用凹部３０，３１から露出している嵌合部７の一部を、手指で上下から把持して、マウス本体２を把持部３から引き出す。すなわち、マウス本体２の全部を把持部７に対して移動させる。
【００３７】
その後に、図３および図４に示すように、収納状態Ａにあったマウス本体２の前後方向を反転させる。そして、把持部３の開口１６にマウス本体２の嵌合部７を嵌め込む。この際、嵌合部７の弾性に抗して、嵌合部７を開口１６に嵌め込んでから、さらに後方（把持部３の底壁１５側）へ向けて押して移動させる。
【００３８】
嵌合部７を開口１６に嵌め込んでから、後方へ向けて押して移動させると、把持部側壁２０，２１の内面には凸条片２２が形成されているため、マウス本体２の後端部が凸条片２２に当接するまでは後方へ移動できる。換言すれば、把持部３に対するマウス本体２の後方への移動量（嵌め込み量）は、凸条片２２によって規制されており、凸条片２２は把持部３へのマウス本体２の過挿入を阻止する阻止部として機能する。
【００３９】
この後方への移動量は、図５および図７に示すように、嵌合部７のみが操作用凹部３０，３１から露出するよう設定することが好ましい。このようにすることで、把持部３の前後方向長さに、把持部３から突出するマウス本体２の突出部分の長さが加算され、マウス１を前後方向に延ばすことができる。しかも、嵌合部７の弾性によりマウス本体２が把持部３に支持されていることで、把持部３に対してマウス本体２を前後方向ＦＲに連結して、しかも確実に保持することができる。
【００４０】
ところで、本体上壁５および本体下壁８は、後側ほど上下方向の距離が互いに離れるよう傾斜して形成され、挟み板２７は後方から前方へ向けて把持部下壁１９側に傾斜している。このため、マウス本体２を使用状態Ｂとし、ホイール６の突出部６ａを上側にし、クリップ２３の挟み板２７を机上面に位置するようマウス１を机上に置くと、マウス１の前側ほど下傾斜した状態となる。
【００４１】
マウス１は前側ほど下傾斜した状態となると、ユーザーの手指で、右クリック用上壁部５ａ、左クリック用上壁部５ｂ、およびホイール６の突出部６ａを操作し易い姿勢となる。なお、本体下壁８の摺動シート１３、および挟み板２７の摺動シート２８，２９における摺動面（机上面に接触する面）は、使用状態Ｂにおいて一直線上に配置されることが好ましい。また、本体上壁５および本体下壁８は、使用状態Ｂにおいて、後側ほど上下方向の距離が互いに離れるよう傾斜して形成されていることから、マウス１を、クリップ２３の挟み板２７の傾斜に一致させることが可能であり、マウス１の姿勢を安定させられる。
【００４２】
このように、第一の実施形態におけるマウス１は、収納状態Ａにおいて把持部３のみの長さになっていてコンパクトであるから邪魔にならず、使用状態Ｂでは把持部３の長さにマウス本体２の長さが加算されて、使用に際して操作に必要な長さにすることができる。
【００４３】
使用状態Ｂから収納状態Ａに戻すには、操作用凹部３０，３１から露出している嵌合部７の一部を、手指で上下から把持して、マウス本体２を把持部３から引き出す。そしてマウス本体２を前後反転させて、マウス本体２を把持部３に挿入するようにして収納する。この場合、把持部側壁２０，２１の内面に形成されている凸条片２２に、マウス本体２の側壁分離溝９ａ，１０ａが嵌合して案内されるから、マウス本体２を円滑に収納状態Ａとすることができる。
【００４４】
次に、図８および図９を参照しつつ、本発明の第二の実施形態を説明する。第二の実施形態のマウス１が第一の実施形態のマウス１と異なる構成は、把持部３の構成である。第二の実施形態における把持部３では、幅方向一方側の把持部側壁（この場合、第一の実施形態における把持部側壁２１に相当する）が省かれ、幅方向他方側の把持部側壁２０によって、本体上壁５と本体下壁８とが連続して形成されている。そして、幅方向一方側の把持部側壁が省かれて挿抜口３３が形成されている。挿抜口３３が形成された分だけ、底壁１５の一部も省かれている。
【００４５】
凸条片２２においては、幅方向一方側の把持部側壁が省かれているから一方側の凸条片は省かれ、他方側の凸条片２２が存在する。他の構成は、第一の実施形態と同様であるので、同一の符号を付してその説明を繰り返さない。
【００４６】
第二の実施形態におけるマウス１では、マウス本体２の収納状態Ａにおけるマウス本体２は、第一の実施形態と同様の状態で把持部３に収納されている。また、使用状態Ｂにおけるマウス本体２の前後方向ＦＲは第一の実施形態と同様に反転されて把持部３に連結される。但し、第二の実施形態においては、使用状態Ｂとするには、マウス本体２を把持部３の挿抜口３３から、すなわち把持部３の側方から取外す。マウス本体２を把持部３の挿抜口３３から取外すには、マウス本体２の前後端面を把持し、把持部３から引き出すようにすれば取外し易い。
【００４７】
取外したマウス本体２は、前後を反転させて、嵌合部７が開口１６部分に嵌合するように、また、ホイール６が前方に位置するようにマウス本体２を把持部３に対して側方から連結して、使用状態Ｂとする。この際、他方側の凸条片２２が、把持部３へのマウス本体２の過挿入を阻止する阻止部として機能する。第二の実施形態のマウス１においても、収納状態Ａにおいて把持部３のみの長さになっていてコンパクトであるから邪魔にならず、使用状態Ｂでは把持部３の長さにマウス本体２の長さが加算されて、使用に際して操作に必要な長さにすることができる。
【００４８】
次に、図１０および図１１を参照して、第三の実施形態に係るマウス１を説明する。第一の実施形態および第二の実施形態のマウス１では、収納状態Ａから、マウス本体２を把持部３から取外して使用状態Ｂとするよう構成した。しかしながら、第三の実施形態では、把持部３に対してマウス本体２を取外すことなく使用状態Ｂとするよう構成されている。
【００４９】
具体的に、把持部３は把持部上壁１８、把持部下壁１９、および底壁１５が一体的に形成され、幅方向両側および前側を開放した形状に形成されている。マウス本体２は、把持部上壁１８、および把持部下壁１９の前部内面の幅方向中心部に配置した支軸３４を介して把持部３に回動自在に支持されている。第三の実施形態では、マウス本体２を支軸３４回りに回動させることで、図１０に示す収納状態Ａからマウス本体２の前後方向を反転させ、図１１に示すように、マウス本体２を把持部３から取外すことなく使用状態Ｂとすることができる。
【００５０】
第三の実施形態では、マウス本体２を支軸３４回りに回動させるから、その回動の際にマウス本体２の一端側が底壁１５に当接しないよう、マウス本体２の一端側と底壁１５との距離を設定する必要がある。第三の実施形態では、把持部側壁は省かれているから、凸条片も有しない。また、嵌合部の有無は問わない。本実施形態では、収納状態Ａからマウス本体２を支軸３４回りに回動させて使用状態Ｂとするから、マウス本体２の一部のみが把持部３に対して移動される。
【００５１】
第三の実施形態のマウス１は、図示しないが、マウス本体２を支軸３４回りに回動させて使用状態Ｂとした際に、使用状態Ｂを保持するロック機構を備えている。そして、ロック機構を解除することで、マウス本体２が支軸３４回りに回動可能となり、支軸３４回りにマウス本体２の前後を反転させるようにして収納状態Ａとすることができる。なお、支軸３４は、使用状態Ｂにおいて、マウス本体２の把持部３への過回動および過挿入を阻止させる機能を有する。
【００５２】
図１２および図１３は第四の実施形態を表し、図１４および図１５は第五の実施形態を表す。第四の実施形態および第五の実施形態が、第一の実施形態ないし第三の実施形態と大きく異なる構成は、マウス本体２を反転させずに把持部３からマウス本体２を前方へ突出（移動）させて、使用状態Ｂとする点である。
【００５３】
具体的に第四の実施形態では、図１２に示すように、収納状態Ａにおいて、マウス本体２はその一端側である、ホイール６を備えている側が前側にあって、把持部３に収納されている。第四の実施形態では、把持部３の底壁１５は省かれて後部開口３５が形成されている。また、把持部上壁１８には、上側の操作用凹部３０に連続して、ホイール６の突出部６ａを回避する切欠３６（ホイールを回避する空間に相当する）が形成されている。ユーザーは後部開口３５に手指を入れ、マウス本体２を前方に向けて押圧するようにし、マウス本体２の外筐部４を、前側の開口１６から突出させることで、使用状態Ｂとする。
【００５４】
本実施形態においても、図示しないが、マウス本体２を使用状態Ｂとした際に、使用状態Ｂにおけるマウス本体２の位置を保持するロック機構を備えている。そして、ロック機構を解除することで、マウス本体２を把持部３に収納することができるように構成されている。このロック機構は、使用状態Ｂにおいて、マウス本体２の把持部３からの完全な抜出しを阻止させる機能を有する。
【００５５】
図１４および図１５に示す第五の実施形態でも、第四の実施形態と同様に、図１４に示す収納状態Ａにおいて、マウス本体２はその一端側である、ホイール６を備えている側が前側にあって、把持部３に収納されている。把持部３は開口１６を備えている。
【００５６】
本実施形態では、把持部３の一方の把持部側壁２１に、前後方向ＦＲに沿う切欠溝３７が形成されている。この切欠溝３７に、マウス本体２に取付けられたスライダ３８が摺動自在に嵌合されている。図示しないが、切欠溝３７の切欠面には、波条の連続した凹凸部が形成されている。スライダ３８には凹凸部に弾性的に係止する板ばねが設けられており、スライダ３８の移動に伴い板ばねが凹凸部に順次弾性的に係止することで、スライダ３８を切欠溝３７に摺動させる途中でも、スライダ３８の位置が保持できる。
【００５７】
この構成によれば、スライダ３８を前方へ移動させることで、図１５に示すように、マウス本体２は前後を反転することなく、その一部が、スライダ３８の位置に応じて開口１６から突出し、使用状態Ｂとすることができる。マウス本体２を使用状態Ｂとした際に、板ばねが凹凸部に弾性的に係止することで、使用状態Ｂにおけるマウス本体２の位置を保持するロック機構として機能する。
【００５８】
なお、本実施形態では、切欠溝３７は一方の把持部側壁２１に形成され、スライダ３８が切欠溝３７に摺動自在に嵌合されている。しかしながら、スライダ３８を摺動自在に案内する切欠溝３７は、本体上壁５に形成することも考えられる。また、上記何れの実施形態においても、収納状態Ａと使用状態Ｂとで、把持部３の幅方向中心とマウス本体２の幅方向中心とは、略同一線上になるよう構成されている。
【符号の説明】
【００５９】
１…マウス、２…マウス本体、３…把持部、４…外筐部、５…本体上壁、６…ホイール、６ａ…突出部、７…嵌合部、９，１０…本体側壁部、９ａ，１０ａ…側壁分離溝、１５…底壁、１６…開口、１７…収納空間、１８…把持部上壁、１９…把持部下壁、２０，２１…把持部側壁、２２…凸条片、２３…クリップ、２７…挟み板、Ａ…収納状態、Ｂ…使用状態、Ｃ…幅方向、ＦＲ前後方向
【図１】
0006383253.tif 000002
【図２】
0006383253.tif 000003
【図３】
0006383253.tif 000004
【図４】
0006383253.tif 000005
【図５】
0006383253.tif 000006
【図６】
0006383253.tif 000007
【図７】
0006383253.tif 000008
【図８】
0006383253.tif 000009
【図９】
0006383253.tif 000010
【図１０】
0006383253.tif 000011
【図１１】
0006383253.tif 000012
【図１２】
0006383253.tif 000013
【図１３】
0006383253.tif 000014
【図１４】
0006383253.tif 000015
【図１５】
0006383253.tif 000016